(57)【要約】 【課題】長期間、低温や高温の雰囲気に放置したとしても、気体室のガスが抜けることは無く、良好な緩衝性能が維持できるアキュムレータを提供すること。  【解決手段】シェルと、シェルにかしめ固定された蓋部材と、前記シェル内に配置され、その開口部が前記シェルの開口部近傍に液密に保持されているゴム状弾性材製ブラダとからなり、前記シェルと前記ブラダとによって囲まれる気体室には圧縮気体が封入され、前記蓋部材とブラダとによって囲まれる液体室には、前記蓋部材に設けた液体導入孔を介して外部から液体が導入されるアキュムレータにおいて、前記シェルの開口部近傍には、段部が設けられ、前記ブラダの開口部には環状の取付フランジ部が設けられ、この取付フランジ部は前記段部に対応したステップ部が形成され、前記段部と前記ステップ部との間に前記ブラダよりも温度特性が良好なゴム状弾性材よりなる環状のガスケットを配置したことを特徴とする。【選択図】  図１
2007332977.tif 000002
【特許請求の範囲】
【請求項１】
略カップ形状の金属材製のシェル（１）と、前記シェル（１）の開口部を塞ぐとともに該開口部にかしめ固定された蓋部材（２）と、前記シェル（１）内に配置され、略カップ形状であって、その開口部が前記シェルの開口部近傍に液密に保持されているゴム状弾性材製ブラダ（３）とからなり、前記シェル（１）と前記ブラダ（３）とによって囲まれる気体室（４）には圧縮気体が封入され、前記蓋部材（２）とブラダ（３）とによって囲まれる液体室（５）には、前記蓋部材に設けた液体導入孔（６）を介して外部から液体が導入されるアキュムレータにおいて、前記シェル（１）の開口部（７）近傍には、段部（８）が設けられ、前記ブラダ（３）の開口部には環状の取付フランジ部（９）が設けられ、この取付フランジ部（９）は前記段部（８）に対応したステップ部（１０）が形成され、前記段部（８）と前記ステップ部（１０）との間に前記ブラダ（３）よりも温度特性が良好なゴム状弾性材よりなる環状のガスケット（１１）を配置したことを特徴とするアキュムレータ。
【請求項２】
前記ガスケット（１１）が０-リングであることを特徴とする請求項１記載のアキュムレータ。
【請求項３】
前記段部（８）およびステップ（１０）は相互に対向した傾斜面（１２）、（１３）を備えており、この傾斜面（１２）、（１３）間に前記ガスケット（１１）が配置されていることを特徴とする請求項１または２記載のアキュムレータ。
【請求項４】
前記傾斜面（１２）、（１３）が円弧形状であることを特徴とする請求項１〜３のいずれか一項に記載のアキュムレータ。
【請求項５】
前記ブラダ（３）の材質が塩素化ポリエチレンであることを特徴とする請求項１〜４のいずれか一項に記載のアキュムレータ。
【請求項６】
前記温度特性が低温特性であることを特徴とする請求項１〜５のいずれか一項に記載のアキュムレータ。
【請求項７】
前記ガスケット（１１）の材質がエチレンープロピレン共重合体であることを特徴とする請求項１〜６のいずれか一項に記載のアキュムレータ。
【請求項８】
前記ガスケット（１１）は前記取付フランジ部（９）を含むブラダ（３）を径方向および軸方向に押圧していることを特徴とする請求項１〜７のいずれか一項に記載のアキュムレータ。
【発明の詳細な説明】
【技術分野】
【０００１】
本発明は、アキュムレータに関する。
また、本発明は、水用ポンプの蓄圧用として用いて有用なアキュムレータに関する。
更に、本発明は、上水や井戸水の蓄圧、衝撃・脈動吸収、配管の温度膨張補償、免震装置の圧力・容積・ショック吸収に有用なアキュムレータに関する。
【０００２】
更にまた、本発明は、長期間、低温や高温の雰囲気に放置したとしても、ガス抜けが無い有用なアキュムレータに関する。
【背景技術】
【０００３】
従来、第三図に記載のアキュムレータが知られている。
この種アキュムレータは、略カップ形状の金属材製のシェル１００と、該シェルの開口部を塞ぐ様にシェルにかしめ固定された蓋部材２００とにより形成された空間内に配置されているゴム状弾性材製ブラダ３００とにより構成されている。このブラダ３００は、略カップ形状であって、その開口部に設けた取付フランジ部３０９がシェル１００と蓋部材２００との間で液密に挟持されている。
【０００４】
そして、ゴム状弾性材製ブラダ３００は、飲料水等と接するため、塩素化ポリエチレンの様な高温・低温において脆化する温度特性があまり良くない材質が使用されている。
このため、長期間、低温や高温の雰囲気に放置すると、ブラダ３００の取付フランジ部３０９が脆化し、取付フランジ部３０９とシェル１００との間から、気体室４００に充填してある窒素ガスが抜けてしまう問題を惹起した。
【０００５】
また、ブラダの材質として、樹脂材を用いる態様のものもあるが、ブラダの形状をベローズ形状としたり、フランジ部のシール構造が複雑になる問題を招来した（特開平８−１２１４０２号公報）
【特許文献１】特開平８−１２１４０２号公報
【発明の開示】
【発明が解決しようとする課題】
【０００６】
この様に、長期間、低温や高温の雰囲気に放置すると、ブラダの取付フランジ部が脆化し、取付フランジ部とシェルとの間から、気体室に充填してある窒素ガスが抜けてしまう問題を惹起した。
また、ブラダの材質として、樹脂材を用いる態様のものもあるが、ブラダの形状をベローズ形状としたり、フランジ部のシール構造が複雑になり、費用が嵩むという問題を招来した。  
【０００７】
本発明は、このような課題に鑑みてなされたものであり、長期間、低温や高温の雰囲気に放置したとしても、気体室のガスが抜けることは無く、良好な緩衝性能が維持できるアキュムレータを提供することを目的とする。
また、本発明は、高い耐久性能が期待できるアキュムレータを提供することを目的とする。
【０００８】
また、本発明は、緩衝性能を損なうことなく、ブラダの耐久性を向上させたアキュムレータを提供することを目的とする。
【課題を解決するための手段】
【０００９】
本発明のアキュムレータは、略カップ形状の金属材製のシェルと、前記シェルの開口部を塞ぐとともに該開口部にかしめ固定された蓋部材と、前記シェル内に配置され、略カップ形状であって、その開口部が前記シェルの開口部近傍に液密に保持されているゴム状弾性材製ブラダとからなり、前記シェルと前記ブラダとによって囲まれる気体室には圧縮気体が封入され、前記蓋部材とブラダとによって囲まれる液体室には、前記蓋部材に設けた液体導入孔を介して外部から液体が導入されるアキュムレータにおいて、前記シェルの開口部近傍には、段部が設けられ、前記ブラダの開口部には環状の取付フランジ部が設けられ、この取付フランジ部は前記段部に対応したステップ部が形成され、前記段部と前記ステップ部との間に前記ブラダよりも温度特性が良好なゴム状弾性材よりなる環状のガスケットを配置したことを特徴とするものである。
【発明の効果】
【００１０】
本発明は、以下に記載されるような効果を奏する。
請求項１記載の発明のアキュムレータによれば、長期間安定した緩衝効果を期待することができる。
また、請求項２記載の発明のアキュムレータによれば、取付フランジ部を含むブラダとシェルとの間からのガス抜けを容易に行える。
【００１１】
更に、請求項３記載の発明のアキュムレータによれば、ガスケットのシール効果をより高めることが出来る。
また、請求項４記載の発明のアキュムレータによれば、ガスケットを損傷することなく、ガスケットに対し十分な圧縮力を加えることが出来る。
【００１２】
また、請求項５記載の発明のアキュムレータによれば、使用される上水や井戸水の蓄圧に最適な特性を発揮出来る。
また、請求項６記載の発明のアキュムレータによれば、特に低温におけるガス抜けを効果的に防止できる。
【００１３】
また、請求項７記載の発明のアキュムレータによれば、特に低温におけるガス抜けを有効に防止できる。
また、請求項８記載の発明のアキュムレータによれば、ガスケットのシール特性を十分発揮出来る。
【発明を実施するための最良の形態】
【００１４】
以下、本発明を実施するための最良の形態について説明する。
本発明に係るアキュムレータは、略カップ形状の金属材製のシェル１と、該シェル１の開口部７を塞ぐ様にシェル１にかしめ固定された蓋部材２とにより形成された空間内に配置されているゴム状弾性材製ブラダ３とにより構成されている。
そして、このブラダ３により、シェル１内は、圧縮性流体である窒素ガスがガス封入孔１４から封入されている気体室４と、外部から液体が導入される液体室５とに区分けされている。
【００１５】
このブラダ３は、略カップ形状であって、その開口部に設けた環状の取付フランジ部９がシェル１と蓋部材２との間で液密に挟持されている。
そして、シェル１の開口部７近傍には、段部８が設けられ、ブラダ３の開口部に存在する環状の取付フランジ部９には、段部８に対応したステップ部１０が形成され、段部８とステップ部１０との間に、ブラダ３よりも温度特性が良好なゴム状弾性材よりなる環状のガスケット１１が配置されている。
このガスケット１１は、ゴム状弾性材製の０-リングであるが、角リング、Xリング等が適宜選択して用いられる。
【００１６】
また、段部８およびステップ１０は相互に対向した傾斜面１２、１３を備えており、この傾斜面１２、１３間にガスケット１１が配置されている。
そして、傾斜面１２、１３は、好ましくは円弧形状である。このことにより、ガスケットを損傷することなく、ガスケットに対し十分な圧縮力を加えることが出来る。
また、用途が上水や井戸水の蓄圧であるため、温度特性としては、特に低温特性が良好な材質が好ましい。
【００１７】
この意味で、ガスケット１１の材質は、エチレンープロピレン共重合体が好ましい。
ガスケット１１は、傾斜面（１２）、（１３）を利用して、取付フランジ部９を含むブラダ３を径方向および軸方向に押圧している。
このことにより、気体室４からのガス抜けを確実に防止できる。
また、ブラダ３の材質は、好ましい材料として塩素化ポリエチレンゴムを使用しているが、ブチルゴム、二トリルゴム、ウレタンゴム、エチレン・プロピレンゴム等の他のゴム状弾性体が用途に応じ適宜選択して使用される。
【００１８】
更に、蓋部材２は、略皿形状で、その中心部に、管状の液体導入孔６が設けられている。この蓋部材２の材質は、繊維状補強材が入ったポリプロピレン樹脂であるが、ウレタン樹脂、アクリル樹脂、ＡＢＳ樹脂等の他の樹脂材若しくは金属材が用途に応じ適宜選択して使用される。
【００１９】
以上のことから、本発明を実施するための最良の形態によれば、長期間使用しても安定した緩衝機能が発揮できるアキュムレータとすることができる。
【００２０】
また、本発明は上述の発明を実施するための最良の形態に限らず本発明の要旨を逸脱することなくその他種々の構成を採り得ることはもちろんである。
【図面の簡単な説明】
【００２１】
【図１】アキュムレータにかかる発明の実施の形態を示す断面図である。
【図２】図１の部分拡大図である。
【図３】アキュムレータにかかる従来技術の形態を示す断面図である。
【符号の説明】
【００２２】
１‥‥シェル
２‥‥蓋部材
３‥‥ブラダ
４‥‥気体室
５‥‥液体室
６‥‥液体導入孔
７‥‥開口部
８‥‥段部
９‥‥取付フランジ部
１０‥‥ステップ部
１１‥‥ガスケット
１２、１３‥‥傾斜面
１４‥‥ガス封入孔
【図１】
2007332977.tif 000003
【図２】
2007332977.tif 000004
【図３】
2007332977.tif 000005